(57)【要約】【課題】収納棚に近接して設けられる階段の階段設置構造において、収納棚を安全かつ効率的に利用でき、階段の設置面積を小さくする。【解決手段】階段設置構造において、１階から２階に吹き抜ける吹き抜け空間に、１階の階高より高い収納棚３ａが設けられ、前記吹き抜け空間に、１階から２階に至る螺旋階段１を前記収納棚３ａに近接して設ける。【選択図】図１
2006283464.tif 000002
【特許請求の範囲】
【請求項１】
下階から上階に吹き抜ける吹き抜け空間に、下階の階高より高い収納棚が設けられ、前記吹き抜け空間に、下階から上階に至る螺旋階段が前記収納棚に近接して設けられていることを特徴とする階段設置構造。
【請求項２】
前記螺旋階段は、前記収納棚の幅方向中央部に設けられていることを特徴とする請求項１に記載の階段設置構造。
【請求項３】
前記収納棚は前記吹き抜け空間を形成する壁部に設けられており、この壁部には、窓が前記収納棚の上方に設けられていることを特徴とする請求項１又は２に記載の階段設置構造。
【請求項４】
前記収納棚は前記吹き抜け空間を形成する壁部に設けられており、この壁部には、地窓が前記収納棚の下方に設けられていることを特徴とする請求項１〜３のいずれか一項に記載の階段設置構造。
【請求項５】
前記螺旋階段の上方にある天井には、天窓が設けられていることを特徴とする請求項１〜４のいずれか一項に記載の階段設置構造。
【発明の詳細な説明】
【技術分野】
【０００１】
本発明は、収納棚に近接して設けられる階段の階段設置構造に関する。
【背景技術】
【０００２】
従来より、屋内の壁や柱等の上部に収納棚を設けてこれらの収納棚を利用するには、脚立や梯子等の簡易な昇降手段を用いるか、収納棚と直線状の階段とを隣接して設け（特許文献１参照）、この階段途上において収納棚を利用していた。
【特許文献１】特開２０００−３２０１６５号公報
【発明の開示】
【発明が解決しようとする課題】
【０００３】
しかしながら、簡易な昇降手段は、安定性が悪く荷物の持ち運びを安全に行うことができない上に、収納棚を利用する度に昇降手段の準備及び片付けが必要となり、作業効率が悪いという問題があった。また、収納棚と直線状の階段とを隣接して設けると、相当の階段設置面積が必要になるという問題があった。
【０００４】
本発明の課題は、収納棚に近接して設けられる階段の階段設置構造において、収納棚を安全かつ効率的に利用でき、階段の設置面積を小さくすることである。
【課題を解決するための手段】
【０００５】
以上の課題を解決するため、請求項１に記載の発明は、例えば図１及び２に示すように、階段設置構造において、下階（例えば、１階Ｆ１）から上階（例えば、２階Ｆ２）に吹き抜ける吹き抜け空間２（図４（ｂ）参照）に、下階（例えば、１階Ｆ１）の階高より高い収納棚３ａが設けられ、前記吹き抜け空間２（図４（ｂ）参照）に、下階（例えば、１階Ｆ１）から上階（例えば、２階Ｆ２）に至る螺旋階段１が前記収納棚３ａに近接して設けられていることを特徴としている。
【０００６】
請求項１に記載の発明によれば、下階（例えば、１階Ｆ１）から上階（例えば、２階Ｆ２）に吹き抜ける吹き抜け空間２に下階（例えば、１階Ｆ１）の階高より高い収納棚３ａが設けられており、この吹き抜け空間２に、螺旋階段１が収納棚３ａに近接して設けられている。よって、下階（例えば、１階Ｆ１）からは届かない高さの収納棚３ａを、螺旋階段１の途上から利用することができる。従って、収納棚３ａを、安全かつ効率的に利用することができる。また、螺旋階段１を設けることによって、直階段に比べて階段の設置面積を小さくすることができる。
【０００７】
請求項２に記載の発明は、請求項１に記載の階段設置構造において、前記螺旋階段１は、前記収納棚３ａの幅方向中央部に設けられていることを特徴としている。
【０００８】
請求項２に記載の発明によれば、螺旋階段１は収納棚３ａの幅方向中央部に設けられているため、螺旋階段１の途上から収納棚３ａを幅方向に広い範囲で利用することができる。よって、収納棚３ａを効率的に利用することができる。
【０００９】
請求項３に記載の発明は、例えば図１及び３に示すように、請求項１又は２に記載の階段設置構造において、前記収納棚３ａは前記吹き抜け空間２（図４（ｂ）参照）を形成する壁部３に設けられており、この壁部３には、窓３ｃが前記収納棚３ａの上方に設けられていることを特徴としている。
【００１０】
請求項３に記載の発明によれば、収納棚３ａは壁部３に設けられており、この壁部３には、収納棚３ａの上方に窓３ｃが設けられている。よって、この窓３ｃを通して吹き抜け空間２に採光を確保することができる。また、この窓３ｃを開閉可能にすることにより、屋内の通気を確保することができる。
【００１１】
請求項４に記載の発明は、例えば図１及び３に示すように、請求項３に記載の階段設置構造において、前記収納棚３ａは前記吹き抜け空間２（図４（ｂ）参照）を形成する壁部３に設けられており、この壁部３には、地窓３ｄが前記収納棚３ａの下方に設けられていることを特徴としている。
【００１２】
請求項４に記載の発明によれば、収納棚３ａは壁部３に設けられており、この壁部３には、収納棚３ａの下方に地窓３ｄが設けられている。よって、この地窓３ｄを通して吹き抜け空間２に採光を確保することができる。また、この地窓３ｄを開閉可能にすることにより、屋内の通気を確保することができる。
【００１３】
請求項５に記載の発明は、例えば図１及び２に示すように、請求項１〜４のいずれか一項に記載の階段設置構造において、前記螺旋階段１の上方にある天井４には、天窓４ａが設けられていることを特徴としている。
【００１４】
請求項５に記載の発明によれば、螺旋階段１の上方にある天井４には天窓４ａが設けられている。よって、この天窓４ａを通して吹き抜け空間２に採光を確保することができる。また、この天窓４ａを開閉可能にすることにより、屋内の通気を確保することができる。
【発明の効果】
【００１５】
本発明によれば、下階からは届かない高さの収納棚を、螺旋階段の途上から利用することができる。よって、収納棚を、安全かつ効率的に利用することができる。また、収納棚に近接して螺旋階段を設けることによって、直階段に比べて階段の設置面積を小さくすることができる。
【発明を実施するための最良の形態】
【００１６】
以下、図を参照して本発明を実施するための最良の形態を詳細に説明する。
図１及び２は、建物内の吹き抜け空間２（図４（ｂ）参照）に設けられた螺旋階段１を示す斜視図である。この螺旋階段１は１階Ｆ１から２階Ｆ２へと至るもので、吹き抜け空間２（図４（ｂ）参照）を形成する壁部３に設けられた収納棚３ａに近接して設けられている。
【００１７】
図２〜４に示すように、１階Ｆ１から２階Ｆ２に吹き抜ける吹き抜け空間２は、１階の居間Ｌと一続きになっており、外壁である壁部３と、内壁Ｗ１，Ｗ２，Ｗ３と、によって形成されている。
【００１８】
吹き抜け空間２内には、１階Ｆ１の床から２階Ｆ２の張り出し部５へと至る螺旋階段１が、内壁Ｗ１側に偏心して設けられている。この螺旋階段１は、１階Ｆ１の床に垂直に設けられた心柱１ａと、この心柱１ａの長軸方向に等間隔に固定された複数の踏板１ｂと、これらの踏板１ｂに設けられた手摺子１ｃ，１ｄと、これらの手摺子１ｃ，１ｄの上部に沿って取り付けられた手摺１ｅと、を備えている。
【００１９】
図１及び４に示すように、踏板１ｂは、心柱１ａを中心とした扇形をしており、心柱１ａに近づく程厚くなる構成となっている。また、踏板１ｂには、１枚の踏板１ｂに取り付けられた手摺子１ｃ（図２参照）と、隣接する２枚の踏板１ｂに取り付けられた手摺子１ｄと、が固定されており、これらは踏板１ｂの外縁部に沿って設けられている。手摺１ｅは、これらの手摺子１ｃ（図２参照）及び手摺子１ｄの上部に取り付けられ、心柱１ａを中心に滑らかな螺旋を描いている。
【００２０】
図３に示すように、吹き抜け空間２（図４（ｂ）参照）を形成する壁部３には、収納棚３ａと、窓３ｃと、地窓３ｄと、が設けられている。収納棚３ａは、１階Ｆ１（図２参照）及び２階Ｆ２（図２参照）に跨ぐように設けられており、７枚の板部材３ｂが等間隔かつ水平に設けられている。
【００２１】
窓３ｃは、収納棚３ａに隣接して収納棚３ａの上方に設けられており、地窓３ｄは、収納棚３ａに隣接して収納棚３ａの下方に設けられている。これらの窓３ｃ及び地窓３ｄは、それぞれ３枚のガラスから形成されており、地窓３ｄはガラスを横方向に引くことによって開閉可能となっている。
【００２２】
図１及び２に示すように、螺旋階段１の上方の天井４には、天窓４ａが設けられている。
【００２３】
以上の実施形態によれば、１階Ｆ２から２階Ｆ２に吹き抜ける吹き抜け空間２に１階Ｆ２の階高より高い収納棚３ａが設けられており、この吹き抜け空間２に、螺旋階段１が収納棚３ａに近接して設けられている。よって、１階Ｆ２からは届かない高さの収納棚３ａを、螺旋階段１の途上から利用することができる。従って、収納棚３ａを、安全かつ効率的に利用することができる。また、螺旋階段１を設けることによって、直階段に比べて階段の設置面積を小さくすることができる。
【００２４】
また、収納棚３ａは壁部３に設けられており、この壁部３には、収納棚３ａの上方に窓３ｃが設けられている。よって、この窓３ｃを通して吹き抜け空間２に採光を確保することができる。
【００２５】
さらに、収納棚３ａは壁部３に設けられており、この壁部３には、収納棚３ａの下方に地窓３ｄが設けられている。よって、この地窓３ｄを通して吹き抜け空間２に採光を確保することができる。また、この地窓３ｄは開閉可能であるため、地窓３ｄを開けることによって屋内の通気を確保することができる。
【００２６】
また、螺旋階段１の上方にある天井４には天窓４ａが設けられている。よって、この天窓４ａを通して吹き抜け空間２に採光を確保することができる。
【００２７】
以上の実施形態においては、螺旋階段１を、収納棚３ａに対して内壁Ｗ１側に偏心して設けたが、収納棚３ａの幅方向中央部に設けてもよい。この場合、上述した効果の他に、螺旋階段１の途上から収納棚３ａを幅方向に広い範囲で利用することができ、従って、収納棚３ａを効率的に利用することができる、という効果を得ることができる。
また、窓３ｃ及び天窓４ａについては、電動又は手動により開閉可能としてもよい。この場合は、屋内の通気を確保できるという効果を得ることができる。
【図面の簡単な説明】
【００２８】
【図１】本発明を適用した螺旋階段の概略斜視図である。
【図２】吹き抜け空間の断面図である。
【図３】壁部の正面図である。
【図４】吹き抜け空間を示すもので、（ａ）は１階の平面図、（ｂ）は２階の平面図である。
【符号の説明】
【００２９】
１  螺旋階段
２  吹き抜け空間
３  壁部
３ａ  収納棚
３ｃ  窓
３ｄ  地窓
４  天井
４ａ  天窓
Ｆ１  １階
Ｆ２  ２階
【図１】
2006283464.tif 000003
【図２】
2006283464.tif 000004
【図３】
2006283464.tif 000005
【図４】
2006283464.tif 000006